(57)【要約】【課題】照射の効率が良く、光源の放熱能力の大きな照明装置を提供する。【解決手段】光源装置１１とフレキシブルチューブ１２及び電源装置１３を有し、光源装置１１内部に光源を内蔵しており、対象物に所定の光を照射する。光源装置１１と電源装置１３はフレキシブルチューブ１２により接続され、また電源装置１３には排気ファン３２と排気口３３が設けられ、光源装置１１の空気を電源装置１３を経由して系外へ排気し、光源装置１１を冷却する。操作者は直接光源装置１１を触って照射位置を調整できる、また光源装置１１もコンパクトにできる。【選択図】  図１
2008186694.tif 000002
【特許請求の範囲】
【請求項１】
光を照射する光源を備えた光源筐体と、
前記光源用の電源を備えた電源筐体と、
前記光源筐体と電源筐体を連通するフレキシブルチューブと、
前記光源筐体に設けられ、前記電源筐体とフレキシブルチューブと光源筐体の
排気を行う排気装置と、
を有することを特徴とする照明装置。
【発明の詳細な説明】
【技術分野】
【０００１】
この発明は、照明装置に関する。
【背景技術】
【０００２】
照明装置は種々の分野で使用されているが、半導体検査等においてはＬＥＤを
用いたＬＥＤ照明装置が主として用いられる。
このＬＥＤ照明装置は大きく分けて、電源から電源ケーブルを介して供給した
電力でＬＥＤ光源を発光させ、照射対象に照射する直射タイプと、特許文献１に
示すように電源から供給した電力で発光したＬＥＤの光束を光ファイバーで伝送
して照射する伝送照射タイプとがある。
【０００３】
【特許文献１】特開２００４−２１２４０２号公報
【発明の開示】
【発明が解決しようとする課題】
【０００４】
しかし、 直射タイプは、ＬＥＤが発する光を照射対象に効率よく照射できる反
面、近年のＬＥＤ素子の高パワー化により発熱が問題となり、放熱を良くするた
めには光源筐体を大きくする必要がある。一方伝送照射タイプは、光ファイバー
の光出射口部が低温で、コンパクトにできる反面、光ファイバー伝送時の損失が
あるため照明の効率が悪い欠点がある。
特に顕微鏡観察する際に使われるＬＥＤスポット照明装置では、観察物を顕微
鏡で見ながら光源筐体または、光出射口部を直接手で触り照射位置を調整するの
で、安全上低温でなければならない。また、操作が容易な小型化が要求される。
従来のＬＥＤスポット照明装置では、特に上記した安全上の理由から、伝送タイ
プが採用されているが、照射効率が悪く、光源筐体の温度が低く且つ、コンパク
トで照射の効率がよいＬＥＤスポット照明装置の開発が望まれていた。
本発明は上記従来技術の問題を解決することを目的とする。
【課題を解決するための手段】
【０００５】
上記目的を達成するために、本発明の照明装置は、光を照射する光源を備えた
光源筐体と、前記光源用の電源を備えた電源筐体と、前記光源筐体と電源筐体を
連通するフレキシブルチューブと、前記光源筐体に設けられ、前記電源筐体とフ
レキシブルチューブと光源筐体の排気を行う排気装置と、を有することを基本的
な特徴とする。
【発明の効果】
【０００６】
本発明の照明装置によれば、照射の効率が良く、明るい照射面を得られ、しか
もフレキシブルチューブと排気装置により、光源筐体の放熱能力を大きくでき、
光源筐体の温度上昇を防止し、また光源筐体もコンパクトにすることが可能であ
る。
【発明を実施するための最良の形態】
【０００７】
以下本発明の実施の形態を図面に基づいて説明する。
図１において、このＬＥＤ照明装置は光源装置１１とフレキシブルチューブ１
２及び電源装置１３を有する。
光源装置１１は内部に光源を内蔵しており、対象物に所定の光を照射する。光
源装置１１と電源装置１３はフレキシブルチューブ１２により接続され、電源装
置１３から光源装置１１への電源の供給と、光源装置１１から電源装置１３を経
由して系外への排気を行うようになっている。 
【０００８】
図２により光源装置１１の構成を説明する。光源装置１１は光源筐体２１を有
しており、光源筐体２１の内部に光源であるパワーＬＥＤ２２を設けてある。
パワーＬＥＤ２２は、アルミ等の熱伝導性材料からなる基板２３に装着され、
該基板２３の背面にはヒートシンク２４が設けられている。
パワーＬＥＤ２２の前方（図２において右側）にレンズ列２５が配設され、パ
ワーＬＥＤ２２から発した光を所定の距離に集光させるように構成されている。
レンズ列２５はレンズハウジング２６により位置決めされ、蓋２７で周囲を固定
されている。以上の構成によりパワーＬＥＤ２２からの光はレンズ列２５を通し
て所定の対象物に照射される。
【０００９】
光源筐体２１には、吸気口２８が設けられている。後述するように電源装置１
３には排気ファン３２が設けられており、この排気ファン３２の吸引力で外部の
空気を光源筐体２１に取り込むために吸気口２８が配置されている。吸気口２８
は吸気した空気が基板２３の背面のヒートシンク２４に接しながら流れる位置に
配置するのが望ましく、この配置により大きな放熱効果がえられる。
なお、吸気口２８はパワーＬＥＤ２２の前方に配置することも可能であり、こ
の配置によりレンズ列２５の放熱もでき、さらに放熱効果が大きくなるが、レン
ズ列２５に埃等が付着するので注意を要する。
【００１０】
光源筐体２１の後方の接続部２９において、フレキシブルチューブ１２が接続
している。フレキシブルチューブ１２の端部が接続部２９の内側に嵌挿され、接
続部２９の内側面に接着固定されている。フレキシブルチューブ１２と接続部２
９の間は接着密閉し、空気が漏れないように構成されており、前記した排気ファ
ン３２による排熱効果を高めるようになっている。
接続部２９の外周面には、蛇腹状に溝が形成され、可撓性を維持して操作性を
高めるようになっている。
【００１１】
フレキシブルチューブ１２の管内には、電源ケーブル１５が配線され、電源装
置１３からパワーＬＥＤ２２に電源を供給するように構成されている。
フレキシブルチューブ１２は排気ファン３２による排気のダクトの役目を果た
すので、気密性が良く、また電源ケーブル１５配線後に充分な空間を確保できる
管サイズの物を用いることが望ましい。また、顕微鏡観察用のＬＥＤスポット照
明装置の場合は、手で力を加えると柔軟に曲がり、手を離すとその姿勢を保つ構
造のフレキシブルチューブが、扱いやすく望ましい。
【００１２】
図３に示すように電源装置１３は電源筐体３０を有し、フレキシブルチューブ
１２の他端は電源筐体３０に設けられた接続部３５において、電源装置１３に接
続している。接続部３５においては同様に空気が漏れないようにフレキシブルチ
ューブ１２と電源筐体３０の間は密閉されている。
【００１３】
電源装置１３の電源筐体３０内部には、パワーＬＥＤ２２に電力を供給する電
源基板３１が設けられ、電源ケーブル１５がここに接続している。また前述した
ように、排気ファン３２と排気口３３が設けられており、電源筐体３０とフレキ
シブルチューブ１２及び光源筐体２１の内部の空気を電源筐体３０の外に排出す
るようになっている。この排気により電源基板３１及び光源筐体２１内部に放熱
用空気の流れを発生させ、冷却効果を高めている。
排気ファン３２は、図４に示すように接続部３５に設け、フレキシブルチュー
ブ１２の排気を直接的に行うように構成しても良い。この構成では、光源装置１
１の排気が強化される。また、この実施形態では排気口３３’は任意の箇所に設
けることが可能であり、電源筐体３０の側部に設けてある。
【００１４】
以上の構成において、パワーＬＥＤ２２は直接対象物に光を照射するため、照
射効率が高く、また排気ファン３２と吸気口２８により空気がヒートシンク２４
からフレキシブルチューブ１２を通って、電源筐体３０の電源基板３１を通り、
排気ファン３２により電源筐体３０の外部に排気されるため、ヒートシンク２４
の冷却効果が高く、パワーＬＥＤ２２による温度の上昇を防止できる。また電源
基板３１の冷却効果も得られる。
【００１５】
そのため、操作者は直接光源筐体２１を触って照射位置を調整できる等操作性
が向上する。また光源筐体２１もコンパクトにできる等の効果がある。
【図面の簡単な説明】
【００１６】
【図１】本発明の一実施形態を示す概略図。
【図２】本発明の一実施形態の光源装置１１の説明図。
【図３】本発明の一実施形態の電源装置１３の説明図。
【図４】本発明の電源装置１３の他の実施形態の説明図。
【符号の説明】
【００１７】
１１：光源装置、１２：フレキシブルチューブ、１３：電源装置、１５：電源ケ
ーブル、２１：光源筐体、２２：パワーＬＥＤ、２３：基板、２４：ヒートシン
ク、２５：レンズ列、２６：レンズハウジング、２７：蓋、２８：吸気口、３０：
電源筐体、３１：電源基板、３２：排気ファン、３３：排気口、３５：接続部。
【図１】
2008186694.tif 000003
【図２】
2008186694.tif 000004
【図３】
2008186694.tif 000005
【図４】
2008186694.tif 000006